(57)【要約】【課題】  ヒートシンクサイズやＬＳＩ耐荷重や基板厚さなどの変化に柔軟に対応することができるとともに、基板から外れることがなくヒートシンクを安定保持でき、しかも比較的単純な構造で、製造コストも低減できる上に作業性も良いヒートシンク保持用クリップを提供する。【解決手段】  バネ性を有する弾性係止部４ａ・４ｂを両端に有し、これら弾性係止部を、基板に設けられた孔にバネ性を利用して差し込んで係止するようになっているとともに、両端の弾性係止部の間に伸縮部６を有し、該伸縮部により長さ調整可能になっている。各弾性係止部はバネ性を有する一対の爪部７ｃ・７ｄで構成されている。【選択図】  図１
2006229003.tif 000002
【特許請求の範囲】
【請求項１】
ヒートシンクを押さえて基板上に固定するヒートシンク保持用クリップであって、バネ性を有する弾性係止部を両端に有し、これら弾性係止部を、前記基板に設けられた受け部にバネ性を利用して差し込んで係止するようになっているとともに、両端の弾性係止部の間に伸縮部を有し、該伸縮部により長さ調整可能になっていることを特徴とするヒートシンク保持用クリップ。
【請求項２】
伸縮部と両側の弾性係止部との間の部分もバネ性を有することを特徴とする請求項１に記載のヒートシンク保持用クリップ。
【請求項３】
基板に設けられた受け部が孔で、各弾性係止部がバネ性を有する一対の爪部で構成され、一対の爪部を基板の孔に差し込んで係止するようになっていることを特徴とする請求項１又は２に記載のヒートシンク保持用クリップ。
【請求項４】
伸縮部が鞘状部とラッチ部とからなり、ラッチ部が鞘状部中に内外両方向へステップ摺動するように挿入されていることを特徴とする請求項１、２又は３に記載のヒートシンク保持用クリップ。
【請求項５】
伸縮部における鞘状部とラッチ部とで分離可能な一対の部品で構成されていることを特徴とする請求項４に記載のヒートシンク保持用クリップ。
【発明の詳細な説明】
【技術分野】
【０００１】
本発明は、ヒートシンクを押さえて基板上に固定するヒートシンク保持用クリップに関する。
【背景技術】
【０００２】
従来、ヒートシンクを基板上に固定する手段の一つとして、クリップを用いたものでは、ヒートシンクサイズやＬＳＩ耐荷重や基板厚さなどに応じた専用のクリップをその都度設計して対応していたので、不経済であった。
【０００３】
また、アンカーピンを用いてクリップを基板上に係止するものでは、図４に示すように、Ｕ形のアンカーピン５１の先端部を、基板５２のランド５３ａ付きスルホール５３に貫通させ、スルホール５３内に半田付け５４を行ってアンカーピン５１を基板５２に固着する。そして、図５に示すように、クリップ５５の両端のフック部５５ａを、両側のＵ形のアンカーピン５１に引っ掛け、クリップ５５でヒートシンク５６を押さえて基板５２上に保持する。
【０００４】
しかし、この場合には、アンカーピン５１がクリップ５６の力に耐えきれず、スルホール５３から抜けることがあった。
【０００５】
さらに、特許文献１（国際特許公開ＷＯ９６／２９８５０公報）に記載のものでは、爪付き脚部を両端に有するアーチ形のクリップ本体の他に、ステンレス製線材よりなる脱落防止ピンを用い、クリップ本体の両端の爪部を基板の孔に掛けた上に、その状態を、脱落防止ピンの弾性を利用して保持するようになっている。
【０００６】
しかし、これによると、プレス金型で製作するクリップ本体の他に、ステンレス製線材よりなる脱落防止ピンが必要で、しかも脱落防止ピンをクリップ本体に保持して組み合わせるための孔や振れ止め用ガイドをクリップ本体に設けなければならないので、製造コストが高くなる。また、クリップ本体の長さが一定であるとともに、クリップの保持荷重も一定であるため、ヒートシンクサイズやＬＳＩ耐荷重や基板厚さなどの変化に応ずることができない。
【０００７】
最近は、ＬＳＩの発熱量が、１０Ｗクラスから数１０Ｗクラスと大きくなっているのに伴い、ヒートシンクのサイズの大型化及び重量化の傾向にあるとともに、基板の厚さも一律ではなくなっているため、その変化に柔軟に対応できるクリップが望まれている。
【特許文献１】国際特許公開ＷＯ９６／２９８５０公報
【発明の開示】
【発明が解決しようとする課題】
【０００８】
本発明の課題は、ヒートシンクサイズやＬＳＩ耐荷重や基板厚さなどの変化に柔軟に対応することができるとともに、基板から外れることがなくヒートシンクを安定保持でき、しかも比較的単純な構造で、製造コストも低減できる上に作業性も良いヒートシンク保持用クリップを提供することにある。
【課題を解決するための手段】
【０００９】
本発明は、ヒートシンクを押さえて基板上に固定するヒートシンク保持用クリップであって、バネ性を有する弾性係止部を両端に有し、これら弾性係止部を、基板に設けられた受け部にバネ性を利用して差し込んで係止するようになっているとともに、両端の弾性係止部の間に伸縮部を有し、該伸縮部により長さ調整可能になっていることを特徴とする。
【００１０】
その好ましい形態は次のとおりである。
伸縮部と両側の弾性係止部との間の部分もバネ性を有する。
基板に設けられた受け部が孔で、各弾性係止部がバネ性を有する一対の爪部で構成され、一対の爪部を基板の孔に差し込んで係止するようになっている。
伸縮部が鞘状部とラッチ部とからなり、ラッチ部が鞘状部中に内外両方向へステップ摺動するように挿入されている。
クリップは、伸縮部における鞘状部とラッチ部とで分離可能な一対の部品で構成されている。
【発明の効果】
【００１１】
本発明のクリップによれば、伸縮部により長さ調整できるので、種々のヒートシンクサイズに柔軟に対応できるとともに、両端の弾性係止部をそのバネ性を利用して基板の受け部に係止するので、ＬＳＩ耐荷重や基板厚さなどの変化にも応ずることができる上に、基板から外れることがなくヒートシンクを安定保持できる。
【００１２】
請求項２に係る発明のように、伸縮部と両側の弾性係止部との間の部分にもバネ性をもたせると、ヒートシンクの保持がより安定するとともに、その形状の変化にも対応できる。
【００１３】
請求項３に係る発明のように、各弾性係止部を、バネ性を有する一対の爪部として、これを基板の孔に差し込んで係止する構造にすると、基板への保持が確実になるとともに、作業性も良い。
【００１４】
請求項４に係る発明のように、ラッチ部が鞘状部に対して内外両方向へステップ摺動することで伸縮する構造にすると、長さ調整が容易である。
【００１５】
請求項５に係る発明のように、鞘状部とラッチ部とで分離する２部品構造にすると、製造が容易で、伸縮するクリップとして安価に提供できる。
【発明を実施するための最良の形態】
【００１６】
次に、本発明の実施例を図面に基づいて詳細に説明する。
【実施例】
【００１７】
本実施例のクリップ１は、図１に示すように、プラスチック等で成形された二つ（一対）の部品１ａ・１ｂにて構成され、これらを対称する向きに組み合わせることにより全体として伸縮可能（長さ調整可能）となっている。
【００１８】
すなわち、二つの部品１ａ・１ｂは、それぞれ、偏平な鞘状部２ａ・２ｂと、これから一体に連続して中間を屈曲成形されたバネ性を有するアーム部３ａ・３ｂと、アーム部３ａ・３ｂの折り曲げた先端部分に固定された弾性係止部４ａ・４ｂとを有する。そして、二つの部品１ａ・１ｂの鞘状部２ａ・２ｂ中に、両辺が鋸歯状のラッチ部５を挿入することにより、これらラッチ部５と鞘状部２ａ・２ｂとが中央での伸縮部６となり、ラッチ部５が鞘状部２ａ・２ｂに対して内外両方向へステップ摺動することで、段階的に長さ調整可能となっている。
【００１９】
各弾性係止部４ａ・４ｂは、一対の爪部７ｃ・７ｄを、互いに外向きにして幅員方向へ離してほぼ平行に突設したもので、一対の爪部７ｃ・７ｄは、その間隔が縮まる方向と厚さ方向の両方向にバネ性を有している。
【００２０】
このような構造とした本クリップ１は、図２及び図３に示すように、ヒートシンク８のサイズに応じた長さにするため、ラッチ部５とその両側の鞘状部２ａ・２ｂとの間のステップ摺動により、伸縮部６で段階的に伸縮させて長さ調整し、両端の弾性係止部４ａ・４ｂの一対ずつの爪部７ｃ・７ｄを、基板９に設けられている受け部である孔１０に差し込んで基板９に係止し、本クリップ１でヒートシンク８を押さえて基板９上に固定する。
【００２１】
このような使用状態において、本クリップ１は、両側のアーム部３ａ・３ｂが屈曲成形されて上下方向にバネ性を有するため、ＬＳＩ耐荷重の変化に柔軟に対応できる。また、基板９の孔１０に間隔を縮めて差し込まれた爪部７ｃ・７ｄが、互いに外向きで、しかも上記のような両方向のバネ性による復元力で孔１０の下側に係止されるため、孔１０から抜けることがないとともに、孔１０の長さ（基板厚さ）及び孔１０の大きさの変化にも柔軟に対応でき、ヒートシンク８を基板９上に安定して保持できる。
【産業上の利用可能性】
【００２２】
なお、本発明によるクランプは主にヒートシンク保持用であるが、ヒートシンク以外のものを基板上に保持する場合の応用も可能である。
【図面の簡単な説明】
【００２３】
【図１】本発明によるヒートシンク保持用クリップの一例の斜視図である。
【図２】その使用状態を示す側面図である。
【図３】同じく斜視図である。
【図４】アンカーピンを用いてクリップを基板上に係止する従来例を示し、（Ａ）はアンカーピンを基板に固定した状態の側面図、（Ｂ）はその断面図である。
【図５】その従来例によるヒートシンク保持状態の斜視図である。
【符号の説明】
【００２４】
１  クリップ
１ａ・１ｂ  部品
２ａ・２ｂ  鞘状部
３ａ・３ｂ  アーム部
４ａ・４ｂ  弾性係止部
５  ラッチ部
６  伸縮部
７ｃ・７ｄ  爪部
８  ヒートシンク
９  基板
１０  孔
【図１】
2006229003.tif 000003
【図２】
2006229003.tif 000004
【図３】
2006229003.tif 000005
【図４】
2006229003.tif 000006
【図５】
2006229003.tif 000007